(57)【特許請求の範囲】
【請求項１】
光学デバイス内において光ファイバ・ケーブルを保護するための積層組立体において、
内側表面と少なくとも一つのタブとを有し、かつ、少なくとも複数の整合孔が形成された底板、
少なくとも一個の前記光ファイバ・ケーブルを巻き回すのに適する曲率半径の縁部を有し、かつ、少なくとも二つの整合孔が形成されたテンプレート、及び
少なくとも二つの整合孔が形成された上部板を備え、
前記底板と前記テンプレートと前記上部板とに夫々形成された整合孔は少なくとも２つ整合ピンと係合することにより、前記底板、前記テンプレート及び前記上部板を所定の配置とし、かつ前記底板、前記テンプレート及び前記上部板を整合させた後前記タブが前記テンプレートと前記上部板との上に折り曲げられることを特徴とする積層組立体。
【請求項２】
前記底板とテンプレートとの間に第１の接着層（２２０）
をさらに有することを特徴とする請求項１の組立体。
【請求項３】
前記光ファイバ・ケーブルは、テンプレートの曲面端部の半径以下の最小安全曲げ半径を有する
ことを特徴とする請求項２の組立体。
【請求項４】
前記第１接着層は、前記光学デバイスと光ファイバケーブルとを保持する
ことを特徴とする請求項３の組立体。
【請求項５】
前記テンプレートと上部板との間に第２の接着層（３２０）
をさらに有することを特徴とする請求項１の組立体。
【請求項６】
前記上部板は、組立体から出ていく光ファイバ・ケーブルの出口部分を収納するノッチ（４８）を有する
ことを特徴とする請求項１の組立体。
【請求項７】
前記底板の内側表面に第１接着層が形成され、前記第１接着層が、そこから出ていく光ファイバ・ケーブルを有する光学デバイスを保持する
ことを特徴とする請求項１の組立体。
【請求項８】
前記上部板の内側表面に第２接着層が形成され、前記第２接着層が、そこから出ていく光ファイバ・ケーブルを有する光学デバイスを保持する
ことを特徴とする請求項１の組立体。
【請求項９】
前記第１接着層は、圧縮性接着剤である
ことを特徴とする請求項７の組立体。
【請求項１０】
前記第２接着層は、圧縮性接着剤である
ことを特徴とする請求項８の組立体。
【請求項１１】
前記テンプレートは、光ファイバ・ケーブルを保護する出口を提供する少なくとも１個のタブ（２４）を有する
ことを特徴とする請求項１の組立体。
【請求項１２】
光学デバイス内において光ファイバ・ケーブルを保護するための積層組立体において
第１接着剤が形成された内側表面と少なくとも１つのタブと少なくとも２個の整合孔とを有する底板、
少なくとも１個の前記光ファイバ・ケーブルを巻き回すのに適する曲率半径を有する縁部と、少なくとも２個の整合孔とを有するテンプレート；及び
内側表面と少なくとも１つのノッチと少なくとも２個の整合孔とを有する上部板
を有し、
前記光ファイバ・ケーブルは、前記テンプレートの曲部の曲率半径以下の最小安全曲げ半径を有し、
前記内側表面には第２接着剤が付され、
前記底板とテンプレートと上部板とに開口されたそれぞれの整合孔は、協働して、少なくとも２本の整合ピンと係合したときに、底板とテンプレートと上部板とを整合させるよう配置形成され、前記底板と前記テンプレートと前記上部板とを整合させた後前記タブが前記テンプレートと前記上部板の上に折り曲げられ、
前記第１接着剤は光学デバイスと光ファイバケーブルとを保持し、
前記上部板のノッチは、組立体から出る光ファイバケーブルを収納する
ことを特徴とする積層組立体。
【発明の詳細な説明】
【０００１】
【発明の属する技術分野】
本発明は、光学デバイス組立体に関し、特に現地での組立を容易にするテンプレートを有する積層光学デバイス組立体に関する。
【０００２】
【従来の技術】
光ファイバ分配用フレーム、例えばLucent Technologies 社の光ガイドクロスコネクト（ＬＧＸ(R)） 分配用フレームは、来入ファイバ光学ケーブルを顧客の装置に接続する機能を果たしている。通常このようなフレームは、複数の棚板を有し、各棚板は、来入ケーブルの光ファイバに光学接続されるような１つあるいは複数のモジュールを有している。このモジュールは、光学要素（例、増幅器，
パワー分割器）とカプラとを有し、これらはコネクタを有するワイヤ形式の場所に接続される。
【０００３】
モジュールの設置および保守の問題点の１つは、光学要素の壊れ易い特質と特に光学要素からでたケーブルの数および小さなサイズの問題である。ケーブルは通常その直径が１０ミル（０．２５ｍｍ）であり、これらはシングルモードあるいはマルチモードの場合でも同じである。ケーブルは折曲げられると容易に破損し易く、そのためこの破損を回避するための最少の曲げ半径が存在する。こう言ったことにより現場で作業者がケーブルに損傷を与えることなく処理し、配線することは手間のかかる困難な仕事となる。
【０００４】
米国特許第５，２０４，９２５号（発明者 Bonanni et al. ）は、回路モジュールとそこに搭載される光学要素との光学接続用の装置を開示しており、そして光ファイバはフレキシブルな基板に結合されている。この特許に開示された装置は、光ファイバが折れ曲がらないように、あるいは過剰な機械的ストレスがかからないように、さらには小さな曲げ半径による伝送損失が増加しないようにするために、光ファイバの一場所をガイドするような要素部品を具備していない。
【０００５】
【発明が解決しようとする課題】
したがって本発明の目的は、ケーブルに過剰な曲げ応力がかからないようにしながら現場等のいたる場所でこれらの光学要素を壊れづらいモジュールに組み立てる光学デバイス組立体を提供することである。
【０００６】
【課題を解決するための手段】
本発明の積層光学デバイス組立体は、光学デバイスを固定し、この光学デバイスから出た光ファイバケーブルを搭載する際の安全曲げ半径を提供するようなテンプレートを有している。本発明の積層光学デバイス組立体は、作業者が壊れ易い光ファイバケーブルを配置し、保護するのを助けるような現場での組立に適したものである。テンプレートは、底板と上部板の間に接着剤で接着結合され、頑強な構造体を形成し、これをさらに光学デバイスハウジング内に組み込むものである。
【０００７】
本発明の一実施例によれば、第１の接着は底板の内側表面によりサポートされる。この接着により、テンプレートと光学要素とこのテンプレートの少なくとも１つの湾曲表面の周囲に巻回される光ファイバケーブルとを固定する。上部板の内側表面は、光学デバイスとそのケーブル上に圧接される接着層をサポートする。この組立は、底板とテンプレートと上部板の整合孔により容易となる。底板のタブは上部板の周囲に折曲げられ、組立体が完成する。
【０００８】
本発明の他の実施例においては、光学デバイス組立体は、光学デバイスから出た入力コネクタと出力コネクタとを保持する保持板を有するエッヂを有するハウジング組立体内に搭載される。
【０００９】
【発明の実施の形態】
図１に本発明による装置１００を示す。同図において、底板１０は整合孔１６，１７が開口されている。この底板１０はシート状材料から切断して形成され、内側表面１１とタブ１２，１４とを有する。そしてこのタブ１２，１４は、この実施例においては、互いに反対側に形成されている。テンプレート２０は、少なくとも１つの角のない端部２２を有し、この端部２２の半径は光ファイバケーブル３９の最少安全曲げ半径以上である。
【００１０】
テンプレート２０には整合孔２６，２７が開口され、さらにノッチ２５を有する。光学デバイス３０が１つあるいは複数のコネクタ入力端子３２と１つあるいは複数のコネクタ出力端子３４，３６とを有する場所に具備される。この出力端子は必ずしも同一の形状である必要はない。光学デバイス３０から出たファイバ光学ケーブルは、その直径が通常１０ミル（０．２５ｍｍ）で、製造業者により、指定された最少半径（ケーブルに過剰の曲げ応力を引き起こす半径）として指定された半径まで折曲げられた場合には、損傷を起こすことがある。
【００１１】
同時に曲げ半径が小さくなりすぎると光学損失も増加する。上部板４０は整合孔４６，４７が開口されノッチ４８を有し、このノッチ４８は組立体から出て行くケーブルの出口領域を規定する。整合孔１６，２６，４６は、底板１０，テンプレート２０，上部板４０にそれぞれ形成されて、これらの部材を整合させるものである。整合孔１７，２７，４７も同様な機能を有する。
【００１２】
図２には本発明による底板１０または上部板４０のいずれかの断面図を示す。
底板１０は、内側表面１１を有し、この内側表面１１が接着層２２０を支持し、そしてこの接着層２２０が着脱カバー２５０を支持する。上部板４０の内側表面４１もまた接着層２２０を支持し、そしてこの接着層２２０が着脱カバー２５０を支持する。好ましい実施例においては、接着層２２０は例えば Adchem ７１１（登録商標）の圧縮性接着層である。
【００１３】
着脱カバー２５０は、シート材料製で上部板４０あるいは底板１０上に接着層２２０を残したまま接着層２２０から分離し得るものである。この上部板４０および底板１０は、シート材料から切断して形成され、通常フレキシブルな金属あるいはプラスチック製で好ましくはポリイミド材料で長期の使用に適し、かつ高温環境下での使用に適したものである。
【００１４】
装置１００を組み立てるために、着脱カバー２５０が底板から取り外され、そしてその底板は互いに平行でかつ整合孔１６，１７を貫通して挿入されるような、少なくとも２本の整合ピンを支持する組立装置（図示せず）上に配置される。
この配置は接着面が組立装置とは反対側になるように行われる。整合孔２６，２７が対応する整合孔１６，１７の上に配置され、そしてテンプレートが底板の内側表面をカバーする接着層に押し付けられる。
【００１５】
その後光学デバイス３０は、テンプレートのノッチ２５内に配置され、光ファイバケーブル３９が端部２２の周囲に巻回され、そしてそれらに過剰の曲げ応力がかからないようにする。ケーブルは底板の内側表面上の接着剤によりその場所に保持される。整合孔４６，４７は、それぞれ対応する整合孔１６，１７の上に配置され、上部板４０がテンプレートと底板の露出した表面に対し押し付けられ、かくしてさらに光学要素とその光ファイバ光学ケーブルとを固定する。
【００１６】
底板のタブ１２は、上部板の上に折曲げられ、そして光学デバイス３０を固定する、一方底板のタブ１４は、上部部材の上に折曲げられ光学ケーブルに強度を与え、モジュールの組立を完了する。テンプレートのタブ２４は、光学ケーブルが組立体から出る時にテンプレートと底板との間の接着層をカバーするためのものである。
【００１７】
図３には本発明の他の実施例を示し、同図において上部板に面するテンプレート２０の側は、接着層３２０を支持し、そしてその接着層３２０は着脱カバー３５０によりカバーされている。この実施例において、上部板の内側表面は接着層でカバーする必要はない。組立はまず接着性カバーを取り除きテンプレートをその整合孔でもって底板に整合させることにより開始する。ファイバ光学ケーブルを有する光学デバイスと、上部板とは前述したように配置し、底板のタブとテンプレートを上部板の上に折曲げる。
【００１８】
図４には完全に組み立てられた積層光学デバイス組立体４００を示す。
【００１９】
図５には、光学デバイスハウジングの装置５００を示す。この装置５００は平板５２と平板５２を包囲するエッヂ５０とを有するハウジング組立体１と積層光学デバイス組立体２とモジュール３を持っている、そしてモジュール３には積層された光学デバイス組立体２（装置４００）と結合手段４とコネクタカバー５を収納する一連の孔を有する。モジュール３の中の孔は積層光学デバイス組立体４００の整合孔４６，４７と一体となってこの装置をハウジング組立体に固定し、そしてモジュール３を結合手段４でもってハウジング組立体に固定する。
【００２０】
モジュール３の外側辺の部材６２は、テンプレート２０と同一の外形を有する。好ましくは係合手段は、固定手段５４をハウジング組立体内の固定手段５４にねじ込むネジである。しかしこの固定手段５４は、リベット、クリップあるいは公知の係合手段のいずれでもよい。コネクタカバー５は結合手段４によりモジュール３に取り付けられる。コネクタカバー５は積層光学デバイス組立体４００のコネクタ出力端子３６を保護する役目をする。このハウジング組立体は１つあるいは複数の保持装置５１を支持し、そしてこの保持装置５１は積層光学デバイス組立体４００の入力端子と出力端子を支持する。
【００２１】
本発明の変形例として、入力端子と出力端子の位置は逆にすることが可能であり、また接着層の場所は、上部板，テンプレート，底板の間に配置し、そして組立後は接着層が常に底板とテンプレートとの間およびテンプレートと上部板との間にあるようにすることもできる。この接着層は、組立現場でスプレーあるいは刷毛による塗布により底板、テンプレートあるいは上部板に塗布することもできる。
【００２２】
【発明の効果】
以上述べたように本発明は、ケーブルに過剰な曲げ応力がかからないようにしながら現場等のいたる場所でこれらの光学要素を壊れづらいモジュールに組み立てる光学デバイス組立体を提供するものである。
【図面の簡単な説明】
【図１】本発明の一実施例による光ファイバ組立体の分解展開図
【図２】本発明の一実施例による底板あるいは上部板の断面図
【図３】本発明の一実施例によるテンプレートの断面図
【図４】本発明により組み立てられた積層光学デバイス組立体を表す図
【図５】本発明による光学デバイス組立体を収納する光学デバイスハウジングを表すハウジングの分解展開図
【符号の説明】
１  ハウジング組立体
２  積層光学デバイス組立体
３  モジュール
４  結合手段
５  コネクタカバー
１０  底板
１１，４１  内側表面
１２，１４，２４  タブ
１６，１７，２６，２７，４６，４７  整合孔
２０  テンプレート
２２  端部
２５，４８  ノッチ
３０  光学デバイス
３２  コネクタ入力端子
３４，３６  コネクタ出力端子
３９  光ファイバケーブル
４０  上部板
５０  エッヂ
５１  保持装置
５２  平板
５４  固定手段
６２  外側辺の部材
１００  装置
２２０，３２０  接着層
２５０，３５０  着脱カバー
４００  積層光学デバイス組立体
５００  光学デバイスハウジング
【図１】
0003696381.tif 000002
【図２】
0003696381.tif 000003
【図３】
0003696381.tif 000004
【図４】
0003696381.tif 000005
【図５】
0003696381.tif 000006